(57)【要約】【課題】障子の取り付け及び取り外しが容易で開口部を大きくとることができる障子窓装置の提供を目的とする。【解決手段】外側パネルと内側パネルと障子とを備え、外側パネルと内側パネルとに亘って開口した窓部を形成してあるとともに、窓部の下部であって、外側パネルと内側パネルとの間に障子収納部を有し、障子は、左右の縦枠に沿ってそれぞれ見付け方向内側に突出した突片を有するとともに、窓部の左右にそれぞれ設けた昇降駆動ワイヤーにて吊り下げた左右一対の昇降部材に載置してあり、窓部は左右に障子の突片にスライド係合する係合溝部を有するスライドレールを着脱自在に設けてあることを特徴とする。【選択図】  図３
2009215849.tif 000002
【特許請求の範囲】
【請求項１】
外側パネルと内側パネルと障子とを備え、
外側パネルと内側パネルとに亘って開口した窓部を形成してあるとともに、窓部の下部であって、外側パネルと内側パネルとの間に障子収納部を有し、
障子は、左右の縦枠に沿ってそれぞれ見付け方向内側に突出した突片を有するとともに、窓部の左右にそれぞれ設けた昇降駆動ワイヤーにて吊り下げた昇降部材に載置してあり、
窓部は、左右に障子の突片にスライド係合する係合溝部を有するスライドレールを着脱自在に設けてあることを特徴とする障子窓装置。
【請求項２】
障子収納部は、上方よりに位置し水平方向に配設したワイパー部材を障子に摺接するように有していることを特徴とする請求項１記載の障子窓装置。
【請求項３】
ワイパー部材は障子収納部に着脱自在になっていることを特徴とする請求項２記載の障子窓装置。
【発明の詳細な説明】
【技術分野】
【０００１】
この発明は、建築物の壁やドア等に窓部を形成し、この窓部に上げ下げ障子を設けるための障子窓装置に関する。
【背景技術】
【０００２】
建築物に上げ下げ障子窓を設けることは公知であり、例えば、特開２００６−２６６０１３号公報には障子の左右両端に連結された一対のロープにて可動障子を上げ下げする窓を開示する。
しかし、同公報に開示する窓は、可動障子を上枠、下枠及び左右の縦枠を四周枠組みした外枠内側に支持したものであり、例えば、障子のガラスが破損したりして、取り替えや修理等のメンテナンスをする場合には外枠を分解しなければならないものである。
【０００３】
【特許文献１】特開２００６−２６６０１３号公報
【発明の開示】
【発明が解決しようとする課題】
【０００４】
本発明は、上記背景技術に鑑みて、障子の取り付け及び取り外しが容易で開口部を大きくとることができる障子窓装置の提供を目的とする。
【課題を解決するための手段】
【０００５】
本発明に係る障子窓装置は、外側パネルと内側パネルと障子とを備え、外側パネルと内側パネルとに亘って開口した窓部を形成してあるとともに、窓部の下部であって、外側パネルと内側パネルとの間に障子収納部を有し、障子は、左右の縦枠に沿ってそれぞれ見付け方向内側に突出した突片を有するとともに、窓部の左右にそれぞれ設けた昇降駆動ワイヤーにて吊り下げた昇降部材に載置してあり、窓部は左右に障子の突片にスライド係合する係合溝部を有するスライドレールを着脱自在に設けてあることを特徴とする。
【０００６】
ここで、外側パネルと内側パネルとは、窓となる開口部を形成し、且つ窓の下部に上げ下げ障子の収納部を形成できるものであれば、設置場所や用途は限定されない。
例えば、図４に示すように窓部を建築物の外壁に設ける場合には外壁が外側パネルになり、内壁が内側パネルになる。
また、窓部を揺動ドアに設ける場合はドアの室外側が外側パネルになり、ドアの室内側が内側パネルになる。
【０００７】
本発明において、障子を窓部の左右にそれぞれ設けた昇降駆動ワイヤーにて吊り下げた昇降部材に載置するとは、障子を上げ下げするワイヤーを障子に直接的に連結するものではなく、障子の下部に昇降部材を左右一対のワイヤーで吊り下げ、この昇降部材に障子の下部を載置する趣旨である。
障子の上げ下げをこのような構造にすると、窓を開いた状態では障子が外側パネルと内側パネルとの間に設けた収納部に納まっているが、ワイヤーを巻き上げて昇降部材を上昇させると障子の下端が昇降部材に載置した状態で、この障子が上昇するので仮に窓開口部の左右に障子の側部を支持するものがないとすると、障子は室外側あるいは室内側のどちらかに倒れようとする。
【０００８】
本発明は、この作用を利用して、障子を構成する左右の縦枠に沿って見付け方向内側に突出した突片を設け、この突片に対応して、窓開口部の左右に障子の突片にスライド係合する係合溝部を有するスライドレールを着脱自在に設けたものである。
このようにすると、窓に障子を組み込んだ状態では障子の左右の突片がスライドレールのスライド溝部にスライド係合しているので、障子はスライドレールに支持されながら上げ下げする。
一方、障子を収納部に納めて窓を全開した状態でスライドレールを取り外し、障子を上げると障子を支持するスライドレールが無いので障子が窓開口部から室外側あるいは室内側の一方に倒れるので障子の取り外しが容易にできる。
【０００９】
本発明は、窓の全開時に障子を窓の下部に設けた障子収納部に下げて収納するようにしたので、障子収納部の上方よりに位置し、水平方向に配設したワイパー部材を障子に摺接するように取り付けると、障子の上げ下げの際にこのワイパー部材が障子の表面の汚れを除去するように作用する。
また、ワイパー部材は、障子収納部に着脱自在になっているとよい。
【発明の効果】
【００１０】
本発明においては、外側パネルと内側パネルとに亘って、開口した窓部を形成し、この窓部の下部に障子を収納する障子収納部を設けたので、従来の引違い障子では召框が視界の妨げになっていたのに比較して開口部を大きくとることができる。
【００１１】
また、本発明は、窓部の左右にそれぞれ設けた昇降駆動ワイヤーにて吊り下げた昇降部材に障子を載置した構造を採用したことにより、窓部の左右両側に着脱自在に取り付けた、障子の上昇をスライド支持するスライドレールを窓を全開した状態で取り外し及び取り付ける作業だけで障子を窓部から取り外すことも、窓部に組み込むことも容易にできる。
【００１２】
昇降駆動ワイヤーを外側パネルと内側パネルの間に設け、スライドレールを窓開口部室内側見付け方向に突出しないように窓部に取り付けることも可能になり、このようにスライドレールを窓部に取り付けると、従来は障子枠を支持する外枠が外部から見えていたのに比較して、室内から室外を眺める際に優れた開放感が得られる。
【発明を実施するための最良の形態】
【００１３】
本発明に係る障子窓装置の実施例を以下図面に基づいて説明する。
図１は、障子４０を窓部に組み込む状態を示した斜視図で、窓部１及び障子収納部２を模式的に示してある。
図２は窓部１の横断面で、図３は障子４０の昇降スライド支持するスライドレール４２を内側パネル２０に取り付ける取り付け方法の説明図である。
【００１４】
図１及び図２に示した例では、障子４０は２枚のガラスパネル４０ａ，４０ｂを重ね左右の縦枠４１，４１と図示を省略した上枠及び下枠で枠組したペアガラス障子になっている。
窓部１は外側パネル１０と内側パネル２０とに亘って開口して形成してあり、窓部１の下部に外側パネル１０と内側パネル２０とで形成した障子収納部２を有している。
窓部１には昇降部材４３を昇降駆動ワイヤー４３ａ，４３ａにて吊り下げてある。
昇降部材４３は、その両端を直接、昇降駆動ワイヤーに連結してもよいが、本実施例では、水平方向に配置したバー状の昇降部材４３の両端にブラケット４３ｂ、４３ｂを取り付けて、このブラケットと昇降駆動ワイヤー４３ａ，４３ａを連結した例になっている。
昇降駆動ワイヤーの上部は図示を省略した駆動装置に連結してあり、巻き上げ及び巻き戻し制御可能になっている。
障子４０は下部をこの昇降部材４３に載置するようになっている。
【００１５】
図２に示すように障子４０を構成する左右の縦枠４１は、見付け方向内側に突出した突片４１ａを上下方向に沿って有している。
窓部１を昇降する際に障子４０をスライド支持するスライドレール４２を窓部の左右に取り付けてあり、このスライドレール４２は障子４０の突片をスライド係合する係合溝部４２ａを有している。
なお、図２に示した例では障子４０の縦枠４１に突片を形成し、スライドレール４２にこの突片をのみ込む溝部を形成してあるが、本発明は、逆にスライドレール側に突片を形成し、縦枠側に溝部を形成した形態も含まれる。
スライドレール４２は、図３に示すように、外側パネル１０の開口部の側部１０ａに取付孔４２ｂを用いてビス止め可能になっていて、着脱自在になっている。
ここで、障子４０を障子収納部２に納め、窓を全開した状態で、縦枠に設けた突片４１ａの上端部が外側パネル１０の開口部に取り付けるスライドレールの係合溝部４２ａの下端部と係合するようになっている。
従って、障子を全開した状態で外側パネル１０からスライドレール４２を取り外し、昇降部材４３を吊り上げると図１にｂで示した矢印の方向に障子４０が倒れ、窓部１から取り外すことができる。
一方スライドレール４２を取り外した状態で障子の下端を昇降部材４３に図１矢印ａの方向に載置し、昇降駆動ワイヤー４３ａを巻き戻して障子４０を障子収納部２に納めた状態で外側パネル１０の側部１０ａにスライドレール４２を取り付けると障子４０はスライドレール４２にスライド支持され、上げ下げできる。
本実施例では、障子を室外側から着脱できるようにした例を示したが室内側から着脱できるようにしてもよい。
【００１６】
本発明に係る障子窓装置は、図４に示すように建築物の外壁やドアにシャッタ３０とともに設けることができる。
その場合の縦横断図を図５及び図６に示す。
図４では、外壁に窓部１を設けた例と、ドアにドア窓部１ａを設けた例を示す。
シャッタ３０も外側パネル１０（外壁），１０ａと内側パネル３０との間に、昇降可能に設けてある。
窓部１が全開した状態図４（ａ）では、大きな開口部が得られ、図４（ｂ）に示すようにシャッタ３０が下から上に上昇し、図４（ｃ）に示すように窓部１を完全に閉じた状態では、シャッタ３０が外側パネル１０の開口部に嵌挿するように突出し、概ね面一状態の外観になる。
また、シャッタ３０が上昇する方向に閉じるのでシャッタ３０が閉じる際に手が挟まるようなトラブルを防止する。
さらには、シャッタ３０を半開にした状態でも外部から室内が覗かれにくくなり、プライバシーを保ちつつ、換気や採光もできる。
【００１７】
図６はシャッタ３０及び障子４０を全開した状態の縦断面図を示し、図５は、シャッタ３０及び障子４０を全閉にした状態の縦断面図を示す。
図５及び図６に示した例では障子４０の室内側に巻き上げ式網ネット５０、プライバシーネットのような巻き上げ式保護ネット６０を配設してある。
網ネット５０は、網戸としての役割を有し、防虫を目的とし、保護ネット６０は、遮光スクリーン等、日差し防止やプライバシーの保護に用いるものである。
シャッタ３０は、図１２〜図１５に示すように、リフター８０の上部のワイヤー取付部８２に取り付けたワイヤー８３を図示を省略したワイヤー巻き上げ駆動装置にて昇降自在になっている。
ワイヤー巻き上げ駆動装置は、リールにワイヤーを巻き、リールを駆動モーター等で回転し、モーターへの負荷を検出して、回転を停止する公知の機構を採用することができ、リモコン遠隔操作を可能にしてもよい。
この場合に、ワイヤー巻き上げ方向のブレーキを解除すると、シャッタ３０及びリフター８０の自重で降下するようにすると、構造が簡単である。
また、リフター８０を上昇させる機構であれば、チェーン駆動でもよい。
なお、動作機構の詳細は後述する。
シャッタ３０及び障子４０はそれぞれ単独で昇降制御されていて、全開時には外側パネル１０と内側パネル２０との間に形成した障子収納部２に収納され、シャッタ３０及び障子４０の上端が室内側水平方向から見えないようになっている。
網ネット５０及び保護ネット６０も左右に設けたスライドレール（図示省略）に沿って昇降自在になっている。
【００１８】
図１２にシャッタ３０の背面側斜視図及び昇降装置構成部品図を示し、図１３〜図１５に動作機構説明図を示す。
シャッタ３０の背面に設けてある枠体３１の側部にスライドカム７０を固定してあり、外側パネル１０と内側パネル２０とに形成した開口部の左右であって、且つ、外側パネル１０と内側パネル２０との間に上下方向のガイドレール９０を設けてある。
左右一対のガイドレール９０は、アルミサッシ等で製造し、リフター８０がスライド上下するリフターガイド部９１と、シャッタ３０の枠体３１の側部に固定したスライドカム７０に設けた上下のスライドピン７３ａ，７３ｂがスライドするカムガイド部９２とを有している。
本実施例では、リフターガイド部９１，カムガイド部９２はともに溝形状に形成し、この溝の内側に沿ってリフター８０，スライドカム７０のスライドピン７３ａ，７３ｂが上下に移動するようになっているが、逆に、ガイドレールに突条レール部を設けて、リフター及びスライドカム側にスライド凹部を形成してもよい。
【００１９】
図１２に示すようにスライドカム７０は、少なくとも上下２ヶ所にカム機構７１ａ，７１ｂを有し、カム機構７１ａ，７１ｂは、室内側が上底、室外側が下底となる略台形形状のカム溝を有している。
その拡大図を図１５に示す。
カム溝の下底に相当するリターン溝７７の下部には、切替アーム７２ａ，７２ｂが上方に向けてバネ付勢されて設けられている。
バネ付勢手段は、特に限定されないが、図１５にはコイルバネ１７２ａの例を示す。
リフター８０に設けたリフターピン８１ａ，８１ｂがこのカム溝内に納まるように組付ける。
図６（ａ）は、上部のカム機構７１ａの部分を拡大したものでシャッタ３０が外側パネル１０と内側パネル２０との間で、且つ、開口部の下方に完全に納まった全開状態時のリフター８０の位置を示す。
なお、下部のカム機構７１ｂも同様である。
この状態は、図６に示した状態に相当し、室内側見付け方向に、ガイドレール９０、及び障子用のガイドレール等が現れないようになっている。
この状態からワイヤー８３を巻き上げてリフター８０を上昇させると、リフターピン８１ａが切替アーム７２ａの下面に当接する。
切替アーム７２ａの下面は、室外側から室内側に向けて斜め上方に傾斜していて、さらに台形の側辺に相当した突出カム溝７３を有している。
これにより、スライドカム７０には垂直方向の力と室外側に移動する水平方向の力とが作用することになるが、スライドカム７０はスライドピン７３ａ，７３ｂがカムガイド部９２に挿入されているので垂直方向にのみ動くことになる。
従って、シャッタ３０は垂直方向に上昇する。
図５では、Ｖ１で表した垂直方向にシャッタが上昇する。
図１３（ｃ），（ｄ）に示した状態は、シャッタ３０が外側パネル１０の開口部と同じ高さまで上昇した状態から、外側パネル１０の開口部に嵌挿されるように移動する状態の説明図である。
リフター８０の上昇に伴い、シャッタ３０が上昇し、スライドカム７０に設けてあるスライドピン７３ａ，７３ｂが、カムガイド部９２の突没切欠部９３ａ，９３ｂに位置すると、スライドカム７０の室外方向の移動拘束が解除された状態になるので、シャッタ３０は室外側に突出する。
図５では、Ｖ２で表した方向にシャッタ３０が移動する。
従って、リフターピン８１ａ，８１ｂが台形形状カム溝の上底に相当する完閉カム溝７４に位置する状態でリフター８０の上昇を停止させることで窓部が完全に閉じた状態になり、図４（ｃ）に示すような外観になる。
【００２０】
図１４にシャッタ３０を開く動作の説明図を示す。
図１４（ａ）に示すようにリフター８０をさらに上昇させるとリフターピン８１ａ，８１ｂは、室内側から室外側斜め方向に沿った没入カム溝７５に沿って移動する。
これにより図１４（ｃ）に示すようにシャッタ３０は、室内側に向けて水平移動し、スライドピン７３ａ，７３ｂがカムガイド部９２内に納まる（図６のＶ３移動）。
この状態からワイヤー駆動装置にてワイヤー８３を緩めるとシャッタ３０の自重にて図１４（ｄ）に示すように下降する。
リフターピン８１ａ，８１ｂにシャッタ３０を吊り下げたまま、シャッタ３０は、図６にてＶ４で示した垂直方向の移動をし、シャッタ３０が外側パネル１０と内側パネル２０との間に収まり、下端部がストッパー３２に当接する。
その後にさらにワイヤー８３を緩めると、リフター８０はその自重にて下降し、図１５（ａ）に示すようにリターンカム溝７７に沿ってリフターピン８１ａ，８１ｂも下降する。
この時、切替アーム７２ａ，７２ｂはリフターピン８１ａ，８１ｂに当接し、下向きに開放するのでさらにリフター８０は図１４（ｅ），図１５（ａ）に示すように下降する。
その状態から、さらにリフター８０は自重で降下し、リフターピン８１ａ，８１ｂが切替アーム７２ａ，７２ｂの先端位置を通過すると切替アーム７２ａ，７２ｂは図１５（ｂ）に示すように原位置に復帰するので図１３（ａ）に示した状態に戻る。
このようにシャッタ３０及びリフター８０の自重を利用することにより、リフター８０は上昇動作のみの駆動で済むことから簡単な構造でシャッタ３０の開閉ができる。
【００２１】
次に、図７及び図８に基づいて、障子４０の表面の汚れ除去構造について説明する。
図７は障子４０を全開した状態の側面視及び斜視図であり、図８はワイパー部材４４の取り付け手順を示す。
障子４０を開く際に収納する障子収納部２の上方よりに位置する箇所に水平方向のワイパー取付部材２１を設け、このワイパー取付部材２１にワイパー部材４４を着脱できるようになっている。
ワイパー部材４４には障子４０のガラス表面に弾性摺接する弾性片４４ａを取り付けてある。
図７（ａ）は、ワイパー部材４４を内側パネル２０側に取り付ける前で、図７（ｂ）は取り付け後を示す。
この取り付け手順を図８にて説明する。
ワイパー部材は、長手方向に少なくとも２ヶ所以上、小孔と大孔とを連通して設けたダルマ孔４４ｂを設けてあり、このダルマ孔４４ｂの大孔側からワイパー取付部材２１に取り付けてある緩めたビス４４ｃの頭部に嵌め込み、図７（ｂ）に示す矢印の方向にワイパー部材４４をスライドし、ビス４４ｃを締め付けて固定する。
なお、本実施例では、ビス４４ｃで固定する例を示したが、これに限定する趣旨ではなく、ワイパー部材を着脱できれば、どのような手段でもよい。
例えば、ワイパー取付部材２１に、ピン部材等を立設し、このピン部材等にワイパー部材に設けた孔を挿通し、このピン部材に横方向から抜け止めピンを差し込むタイプでも、Ｅ型スナップリングで抜け止めを図るタイプでもよい。
このようにすれば隙間の狭い部分にワイパー部材を容易に着脱できるのでメンテナンスが容易である。
図５及び図６に示すようにシャッタ３０の室内側の上部よりに弾性片３３ａを有するワイパー部材３３を水平方向に取り付けてあるので、図６に示すようにシャッタ３０を開いた状態で障子４０を上げ下げするとガラス室外側の表面の汚れも除去できる。
【００２２】
本実施例においては、図５，図６及び図９に示すように窓部１の上部に巻き上げ式の網ネット５０及び保護ネット６０の他に照明灯４も取り付けてある。
網ネット５０はロール部５１に巻いてあり、ロール部５１を回転させ、巻き戻すと下端に取り付けてある重り部材５２の自重にて網戸が閉じるようになっている。
保護ネット６０もスクリーン等をロール部６１に巻いてあり、ロール部を回転させ巻き戻すと重り部材６２の自重にて窓部を遮蔽するようになっている。
この種の網ネット５０及び保護ネット６０は汚れやすく、メンテナンスが必要である。
その場合には図９（ａ）に示すように、照明灯４のカバー４ａを取り外し、次に照明灯を取り外し、更に図９（ｄ）に示すように反射カバー５を取り外す。
この状態で網ネット５０あるいは保護ネット６０のロール部を取り外すことになる。
ロ−ル部の着脱を網ネット５０を例に図１０及び図１１に示したロール部の駆動部に基づいて説明する。
ロール部のロールシャフト５１ａの端部が駆動部５３とキー溝５１ｄとの連結になっている。
ロールシャフト５１ａの内側に突没可能に連結ピース５１ｃが納められていて、突出量及び没入量はロールシャフト側の長孔５１ｂと連結ピース５１ｃに設けた固定部材５１ｅにて設定してある。
図１０には、固定部材５１ｅとしてビスの例を示したが、ピン等で突没位置を固定してもよい。
なお、連結ピース５１ｃは突出方向に弾性付勢されているとよい。
このような構造にするとロールシャフト５１ａを取り外すときには図１０に示すように固定部材５１ｅを緩め、あるいは抜き取り、連結ピース５１ｃを矢印の方向に没入させる。
また、ロールシャフト５１ａを駆動部に連結するときは図１１に示すように連結ピース５１ｃを矢印の方向に突出させ、固定部材５１ｅで固定する。
【図面の簡単な説明】
【００２３】
【図１】本発明に係る障子窓装置の障子の着脱例を示す。
【図２】本発明に係る障子窓装置の横断面図を示す。
【図３】スライドレールの着脱例を示す。
【図４】窓部の外観例を示す。
【図５】窓部の縦断面図で全閉状態を示す。
【図６】窓部の全開状態を示す。
【図７】ワイパー部材の取り付け例を示す。
【図８】ワイパー部材の取り付け手順を示す。
【図９】窓装置に設けた照明灯の取り外し手順を示す。
【図１０】ロールシャフトの取り外し方法を示す。
【図１１】ロールシャフトの取り付け方法を示す。
【図１２】シャッタの構成図を示す。
【図１３】シャッタの閉じる機構の説明図を示す。
【図１４】シャッタの開く機構の説明図を示す。
【図１５】カム機構の説明図を示す。
【符号の説明】
【００２４】
１        窓部
１ａ      ドア窓部
２        障子収納部
１０      外側パネル（外壁）
１０ａ    外側パネル
２０      内側パネル（内壁）
３０      シャッタ
４０      障子
４１      縦枠
４１ａ    突片
４２      スライドレール
４２ａ    係合溝部
４３      昇降部材
４３ａ    昇降駆動ワイヤー
５０      網ネット
６０      保護ネット
７０      スライドカム
７１ａ，７１ｂ    カム機構
７２ａ，７２ｂ    切替アーム
７３ａ，７３ｂ    スライドピン
８０      リフター
８１ａ，８１ｂ    リフターピン
９０      ガイドレール
９１      リフターガイド部
９２      カムガイド部
９３ａ，９３ｂ    突没切欠部
【図１】
2009215849.tif 000003
【図２】
2009215849.tif 000004
【図３】
2009215849.tif 000005
【図４】
2009215849.tif 000006
【図５】
2009215849.tif 000007
【図６】
2009215849.tif 000008
【図７】
2009215849.tif 000009
【図８】
2009215849.tif 000010
【図９】
2009215849.tif 000011
【図１０】
2009215849.tif 000012
【図１１】
2009215849.tif 000013
【図１２】
2009215849.tif 000014
【図１３】
2009215849.tif 000015
【図１４】
2009215849.tif 000016
【図１５】
2009215849.tif 000017